(57)【要約】【課題】作業者が照明器具の本体等を片方の手で固定した際に、もう一方の手で簡単に仮固定できるピンチ状の、吊り下げ機器又は部材の仮固定具を提供する。【解決手段】照明器具や部材を支持する吊りボルト１１を挟持自在な２枚の挟持片１、１を相対向させた一端と２つの取っ手２、２を有する他端とから成る挟持構造であって、前記各挟持片１の突き合せ端縁には、前記吊りボルト１１を挟持する、半円形の切欠き挟持孔６を有し、また、前記２枚の挟持片１、１を常時相互に圧接させるバネ８を有し、前記２つの取っ手２、２を操作することにより前記バネ８の力に抗して２枚の挟持片１、１が離れる構成となっている。【選択図】        図５
0003204037.tif 000002
【実用新案登録請求の範囲】
【請求項１】
照明器具や部材を支持する吊りボルトを挟持自在な２枚の挟持片を相対向させた一端と２つの取っ手を有する他端とから成る挟持構造であって、
前記２枚の挟持片を常時相互に圧接させる手段を有し、
前記２つの取っ手を操作することにより前記圧接手段の力に抗して２枚の挟持片が離れる構成となっていることを特徴とする、吊り下げ機器又は部材の仮固定具。
【請求項２】
前記２枚の挟持片を常時圧接させる手段がバネであることを特徴とする、請求項１に記載の吊り下げ機器又は部材の仮固定具。
【請求項３】
前記２枚の挟持片の突き合せ端縁に、夫々半円形の切欠き挟持孔を有し、当該半円の切欠き挟持孔が２枚の挟持片の突き合せで円形となる構成としたことを特徴とする、請求項１又は２に記載の吊り下げ機器又は部材の仮固定具。
【請求項４】
前記２枚の挟持片と２つの取っ手が相互に略くの字に折れ曲がっている、請求項１〜３のいずれかに記載の吊り下げ機器又は部材の仮固定具とした。
【請求項５】
前記各切欠き挟持孔の内周は、挟持される吊りボルトのネジ山に嵌合するねじが切られていることを特徴とする、請求項３又は４に記載の吊り下げ機器又は部材の仮固定具。
【請求項６】
前記挟持片の一側面に作業部品を仮留する機構を有することを特徴とする、請求項１〜５のいずれかに記載の吊り下げ機器又は部材の仮固定具。
【考案の詳細な説明】
【技術分野】
【０００１】
この考案は、天井から吊り下げる照明器具等の機器又は部材の取付け時に使用する仮固定具に関するものである。
【背景技術】
【０００２】
従来、照明器具やダクター等の天井への固定は、天井からの複数の吊りボルトに照明器具等の本体を、当該本体の所定の位置にある複数の穴に前記各吊りボルトを夫々通して、ナットを当該各吊りボルトに螺着して固定している。特許文献１の埋込形蛍光灯照明器具はこの様にして天井から吊り下がったボルトに照明器具を支持している。
【０００３】
しかし、この作業は作業者が一人で脚立の上で行うため不安定な姿勢となり、墜落の危険がある。また、天井との狭い空間の中での穴合わせ作業となるため作業がしにくい。そこで、ライティングガイダー（ネグロス電工社製）を用いるケースが多い。
【０００４】
このライティングガイダーを用いた施工方法は次の通りである。まず、図８に示す天井からの複数の吊りボルト１１に、ライティングガイダー１２を夫々取付ける。当該取付けは、図９に示すように、各ライティングガイダー１２の上端のネジ穴に各吊りボルト１１を螺着挿入して行う。次に当該各ライティングガイダー１２の下部から吊り下がったチェーン１２ａを照明器具の本体１３の複数の穴１３ａに夫々合わせて通す。なお、図中１５は天井パネルの断面を示す。
【０００５】
そして、照明器具を押し上げ、所定の位置に到達したら、図１０に示すように、前記ライティングガイダー１２の受け爪１２ｂを倒して、当該受け爪１２ｂに照明器具の本体１３の下面を引っ掛けて仮固定する。
【０００６】
この状態で、図１１に示すように、一方のライティングガイダー１２を吊りボルト１１から外し、図１２に示すように、ワッシャー及びナット１４を吊りボルト１１に螺着して固定する。そして、当該作業を他のライティングガイダー１２についても行う。
【先行技術文献】
【特許文献】
【０００７】
【特許文献１】実開平２−８９７１０号公報
【考案の開示】
【考案が解決しようとする課題】
【０００８】
しかしながら、この様なライティングガイダー１２を用いた方法においては、以下の問題点がある。照明器具の本体１３を仮固定した後、ナット類を吊りボルト１１に取り付ける際に、ライティングガイダー１２を外す必要があるため、図１１に示すように、照明器具の本体１３の一側が大きく傾き、不安定となる。また、作業がライティングガイダー１２の吊りボルト１１への設置・撤去の２工程となり、作業効率が悪い。
【０００９】
そこで、この考案はこれらの点に着目し、作業者が照明器具等の本体を片方の手で固定した際に、もう一方の手で簡単、迅速かつ確実に仮固定できるピンチ状の、吊り下げ機器又は部材の仮固定具を提供することを目的としたものである。
【課題を解決するための手段】
【００１０】
請求項１の考案は、照明器具や部材を支持する吊りボルトを挟持自在な２枚の挟持片を相対向させた一端と２つの取っ手を有する他端とから成る挟持構造であって、前記２枚の挟持片を常時相互に圧接させる手段を有し、前記２つの取っ手を操作することにより前記圧接手段の力に抗して２枚の挟持片が離れる構成となっている、吊り下げ機器又は部材の仮固定具とした。
【００１１】
また、請求項２の考案は、前記２枚の挟持片を常時圧接させる手段がバネである、請求項１に記載の吊り下げ機器又は部材の仮固定具とした。
【００１２】
また、請求項３の考案は、前記２枚の挟持片の突き合せ端縁に、夫々半円形の切欠き挟持孔を有し、当該半円の切欠き挟持孔が２枚の挟持片の突き合せで円形となる構成とした、請求項１又は２に記載の吊り下げ機器又は部材の仮固定具とした。
【００１３】
また、請求項４の考案は、前記２枚の挟持片に対して２つの取っ手が略くの字に折れ曲がっている、請求項１〜３のいずれかに記載の吊り下げ機器又は部材の仮固定具とした。
【００１４】
また、請求項５の考案は、前記各切欠き挟持孔の内周は、挟持される吊りボルトのネジ山に嵌合するねじが切られている、請求項３又は４に記載の吊り下げ機器又は部材の仮固定具とした。
【００１５】
また、請求項６の考案は、前記挟持片の一側面に作業部品を仮留する機構を有する、請求項１〜５のいずれかに記載の吊り下げ機器又は部材の仮固定具とした。
【考案の効果】
【００１６】
請求項１〜６の考案において、吊りボルトに支持させる照明器具やダクター等の部材を前記吊りボルトに取付ける際に、前記吊りボルトにこの考案の仮固定具を容易に取り付け、機器や部材を仮固定した状態でワッシャーやナットを当該吊りボルトに螺着し、その後当該仮固定具を吊りボルトから容易に外すことができ、機器や部材を大きく傾けることなく作業者が確実にかつ安定して取り付けることができる。従って、照明器具やダクター等の吊りボルトへの取付け作業を容易、迅速かつ安全に行うことができる。
【００１７】
また、当該仮固定具は、常時２枚の挟持片が圧接されているので、２つの取っ手をこの力に抗して動かすことにより吊りボルトから容易に外すことができ、また、吊りボルトへの取付けも容易である。従って、作業者は当該仮固定具を片手で操作可能であり、脚立の上での作業も容易となる。
【００１８】
また、請求項３の考案によれば、２枚の挟持片の突き合せ端縁に、夫々半円形の切欠き挟持孔を有しているため、当該仮固定具での前記吊りボルトの挟持が極めて容易かつ確実である。
【００１９】
また、請求項４の考案によれば、２枚の挟持片に対して２つの取っ手が略くの字に折れ曲がっているため、照明器具の本体等の底板又は底面に２枚の挟持片を当てた際、各取っ手部分が前記底板から離れているので、作業者はこれらの取っ手を把持しやすい。
【００２０】
また、請求項５の考案によれば、各切欠き挟持孔の内周に、挟持される吊りボルトのネジ山に嵌合するねじが切られているため、当該仮固定具の吊りボルトへの挟持がより強化され、機器や部材を確実に仮支持することができる。
【００２１】
また、請求項６の考案によれば、吊りボルトに支持させる照明器具やダクター等の部材を前記吊りボルトに取付ける際に当該仮固定具を吊りボルトに仮固定した後、前記照明器具や部材を吊りボルトに固定するナットやワッシャー等の作業部品を当該仮固定具の挟持片の一側面に仮留できるので、脚立等の上での作業の際、作業の極めて近い箇所に作業部品を確保でき、作業を容易かつ迅速にすることができる。
【図面の簡単な説明】
【００２２】
【図１】この考案の実施の形態例１の仮固定具の斜視図である。
【図２】この考案の実施の形態例１の仮固定具の平面図である。
【図３】この考案の実施の形態例１の断面図であり、図２のＡ−Ａ線断面図である。
【図４】この考案の実施の形態例１の仮固定具の照明器具への使用状態を示す側面図である。
【図５】この考案の実施の形態例１の仮固定具の照明器具への使用状態を示す下方から見た拡大斜視図である。
【図６】この考案の実施の形態例１の仮固定具を使用するケーブルラックの斜視図である。
【図７】この考案の実施の形態例１の仮固定具のケーブルラックへの使用状態を示す側面図である。
【図８】機器や部材を支持する吊りボルトの側面図である。
【図９】従来のライティングガイダーを用いた機器の吊りボルトへの取付け方法手順１を示す側面図である。
【図１０】従来のライティングガイダーを用いた機器の吊りボルトへの取付け方法手順２を示す側面図である。
【図１１】従来のライティングガイダーを用いた機器の吊りボルトへの取付け方法手順３を示す側面図である。
【図１２】従来のライティングガイダーを用いた機器の吊りボルトへの取付け方法手順４を示す側面図である。
【考案を実施するための形態】
【００２３】
（実施の形態例１）
この考案の実施の形態例１の仮固定具Ａの構造を図１〜３に基づいて説明する。
【００２４】
図１に示すように、仮固定具Ａは照明器具や部材を支持する吊りボルト１１を挟持する挟持片１を一端に有しその他端が取っ手２となった板片３を、相対向して２つ設け、前記挟持片１と取っ手２との間の各板片３から断面コ字型の軸受け片４を互いに向けて突設し、これらの軸受け片４を重ねて軸５を通し、当該軸５を中心に板片３が相互に回動自在に構成されている。従って、２つの取っ手３を接近させたり、離したりすることにより、２つの挟持片が当接したり、離れたりする挟持構造となっている。
【００２５】
また、前記各板片３は、取っ手３の端部が捻じれて２つの挟持片１はほぼ同一平面に並べて形成され、端縁が突き合さるようになっている。また、これらの各挟持片１の突き合せ端縁には、夫々半円形の切欠き挟持孔６を有し、当該半円の切欠き挟持孔６が２枚の挟持片１の突き合せにより円形となるよう構成されている。
【００２６】
さらに、各軸受け片４の脇の各板片３には長孔７が設けられ、これらの長孔７を通して、各板片３に一端８ａを固定した略輪状のバネ８が、前記軸５を中心に設けられ、当該バネ８により、２枚の挟持片１の切欠き挟持孔６を有する端縁が突き合わさるよう付勢されている。また、２枚の挟持片１に対して２つの取っ手２が略くの字状に折り曲がっている。またさらに、図１及び２に示すように、２枚の各挟持片１の上面には磁石層９が設けられている。
【００２７】
また、上記各切欠き挟持孔６の内周には、挟持される吊りボルト１１のネジ山に嵌合するねじ６ａが切られている。これにより、当該仮固定具Ａで吊りボルト１１を挟持した際、当該切欠き挟持孔６のねじ６ａが前記吊りボルト１１のねじに嵌合され、前記バネ８の力によって強固に吊りボルト１１を把持する。
【００２８】
次にこの仮固定具Ａを用いて照明器具の本体１３を仮固定する方法について説明する。
【００２９】
図４に示すように、天井から吊り下げられた２本の吊りボルト１１に照明器具の本体１３の両側の穴１３ａを通して照明器具の本体１３を引き上げ、照明器具の本体１３の下面から夫々突出した各吊りボルト１１の下端側に仮固定具Ａ、Ａを取付ける。
【００３０】
これには作業者が片手で仮固定具Ａの２本の取っ手２を握り、バネ８の力に抗して力を入れれば、２枚の挟持片１、１が開き、吊りボルト１１を２つの切欠き挟持孔６内に入れて力を抜けば、仮固定具Ａで吊りボルト１１を挟持でき、これにより照明器具の本体１３は２つの仮固定具Ａに支持される。また、この状態では、図４に示すように、当該仮固定具Ａの２枚の挟持片１は照明器具の本体１３の底板に当接しているが、２つの取っ手２は底板から、斜め下方に突出しているため、作業員は当該仮固定具を外す際など、取っ手を把持しやすい。
【００３１】
図５は仮固定具Ａで照明器具の本体１３を支持している状態を示す。各仮固定具Ａの各挟持片１はバネ８の力で突き合わせ端縁が相互に圧接され、吊りボルト１１を強固に挟持しており、むやみに外れることはない。
【００３２】
従って、各仮固定具Ａの下に突出している吊りボルト１１に図外のワッシャーやナットを嵌めることができる。その際、各仮固定具Ａの把持片１の一側面（下面）に磁石層９が設けられているため、ワッシャーを吊りボルト１１に通して、当該磁石層９にワッシャーを吸引付着させた状態でナットを吊りボルトに螺着し、当該ナットを締め付ながら、仮固定具Ａを外し、照明器具の本体１３を吊りボルト１１に本固定することができる。この時、照明器具の本体１３はその姿勢を保持され、大きく傾くことはない。
【００３３】
なお、上記実施の形態例１では、照明器具の本体１３の吊りボルトへの取付けについて説明したが、他の部材、例えば、ケーブルラックのダクターについても同様に、当該考案の仮固定具Ａを用いて吊りボルトに取り付けることができる。
【００３４】
図６は、建物の天井の下に配設されたケーブルラック１６を示すものである。当該ケーブルラック１６も天井からの一対の吊りボルト１７をケーブルラック１６の長手方向に間隔をあけて設け、各対の吊りボルト１７の下端に設けたダクター等から成る吊りサポート１８の上に前記ケーブルラック１６が載置されて支持されている。
【００３５】
この様なケーブルラック１６の吊りボルト１７への取付けに際しても、図７に示すように、この考案の仮固定具Ａを用い、吊りサポート１８の各孔に吊りボルト１７を通して当該吊りサポート１８の下面から突出した吊りボルト１７に仮固定具Ａを挟持させ、吊りサポート１８を仮固定できる。その後、高さや位置の調整をして前記各吊りボルト１７にナット（図示省略）を取付け、固定するものである。
【００３６】
また、上記仮固定具Ａの挟持構造は、上記実施の形態例１のものに限らず、はさみやペンチ構造等の他の挟持構造のものでも良い。また、上記バネ８は輪状のものであるが、バネの形状、構造は種々のものを用いることができる。また、上記実施の形態例１では、挟持片１の上面に磁石層９を設けているが、磁石層に限らず、作業部品を仮留する適宜の機構を設けたものでも良い。
【符号の説明】
【００３７】
Ａ      仮固定具
１      挟持片                      ２      取っ手
３      板片                        ４      軸受け片
５      軸                          ６      切欠き挟持孔
６ａ    ねじ                        ７      長孔
８      バネ                        ９      磁石層                  
１１    吊りボルト                  １２    ライティングガイダー  
１３    照明器具の本体              １３ａ  穴  
１４    ワッシャー及びナット        １５    天井パネル
１６    ケーブルラック              １７    吊りボルト    
１８    吊りサポート
【図１】
0003204037.tif 000003
【図２】
0003204037.tif 000004
【図３】
0003204037.tif 000005
【図４】
0003204037.tif 000006
【図５】
0003204037.tif 000007
【図６】
0003204037.tif 000008
【図７】
0003204037.tif 000009
【図８】
0003204037.tif 000010
【図９】
0003204037.tif 000011
【図１０】
0003204037.tif 000012
【図１１】
0003204037.tif 000013
【図１２】
0003204037.tif 000014